(57)【要約】      （修正有）【課題】透明ＰＵ球体内に装飾品を充填し、玩具、且つ観賞用の弾力ボールを提供する。【解決手段】弾力ボールは、透明球体表層１、密封装置２、流動体３から構成される。そのうち、密封装置は、透明球体表層上に設置し、連接ヘッド、ゴムカバーを含む。この連接ヘッドは複数個の円錐体が小から大へ重ねられ、各円錐体の底円には同じ大きさの内向き雄切点が設置される。更にこの連接ヘッドには中間側辺の円錐体内に通道が設置され、ゴムカバーは連接ヘッドの外部に被せる。また、流動体透明球体表層内の中空部分に十分に充填される。流動体は、球体の外部から密封装置の通道を通って注入され、透明球体表層内の中空部分に入る。流動体による圧力によって密封装置のゴムカバーは連接ヘッドの通道を封鎖し、球体内から漏れない。【選択図】図１
0003106185.tif 000002
【実用新案登録請求の範囲】
【請求項１】
透明球体表層と密封装置及び流動体から構成された弾力ボールにおいて、
透明球体表層上に設置し、連接ヘッドとゴムカバーを含み、その連接ヘッドは複数個の円錐体が相互に重なり、且つ通道が中間側面の円錐体内に位置し、ゴムカバーは連接ヘッドの外部に被せる密封装置と、
透明球体表層内の中空部分に完全に充填し、球体外部から密封装置の通道を通り、その圧力によって密封装置のゴムカバーが連接ヘッドの通道を封鎖して漏れを防止する流動体から構成されることを特徴とする弾力ボール。
【請求項２】
前記透明球体表層は、透明のポリウレタン(ＰＵ)から作られ、複数個の円錐体が小から大へ重なり、各円錐体の底円には切点が設置されることを特徴とする請求項１記載の弾力ボール。
【請求項３】
透明球体表層と密封装置と流動体から構成された弾力ボールにおいて、
特定の厚みを具えた透明球体表層と、
透明球体表層上に設置され、且つ密封装置には円錐挿入部、嵌合部及び密封口が含まれ、円錐挿入部は透明球体表層内に完全に埋め込まれ、嵌合部透明球体表層の厚みとほぼ同じで、且つ密封口の直径は嵌合部より大きい密封装置を含むことを特徴とする弾力ボール。
【考案の詳細な説明】
【技術分野】
【０００１】
本考案は、弾力ボールに関するもので、透明ＰＵ球体内に装飾品を充填し、玩具、且つ観賞用にもなる弾力ボールである。
【背景技術】
【０００２】
中に液体を注入した装飾ボールは、通常ガラス製で、例として中には装飾用の白色粒が入ったクリスマス用ガラス製品がある。このガラス製装飾ボールは、中に流動性の液体が入ったり、更に液体に浮いて移動する装飾品が入ったりする。これらは確かに美観はよいが、外層がガラス製であるため、割れやすく、且つ価格も高い。また、このボールは卓上や棚に飾って鑑賞するだけで、触るときには割れないように注意しなければならない。
【０００３】
別種として、弾力ボールがある。これは完全に中身が詰まった弾力ボールで、一般にゴム材かＰＵ材で作られる。そのため、外で遊ぶこともできるが、小さなボールが作れるだけで、色も単一であるため、子どもはすぐに飽きてしまう。また、他の弾力ボールとして、中に人形や発光装置、音の出る装置を入れたものがあるが、これらの製造コストは、内臓装置が入るため、高くなってしまう。また中に流動液体と浮装飾品の入った弾力ボールは未だ見られない。
【考案の開示】
【考案が解決しようとする課題】
【０００４】
解決しようとする問題点は、玩具としても遊べ、更に中に流動体を入れた装飾品としての視覚効果もある弾力ボールがない点である。
【課題を解決するための手段】
【０００５】
本考案は、透明球体表層、密封装置、流動体から構成される。そのうち、密封装置は、透明球体表層上に設置し、連接ヘッド、ゴムカバーを含む。この連接ヘッドは複数個の円錐体が小から大へ重ねられ、各円錐体の底円には同じ大きさの内向き雄切点が設置される。更にこの連接ヘッドには中間側辺の円錐体内に通道が設置され、ゴムカバーは連接ヘッドの外部に被せる。また、流動体透明球体表層内の中空部分に十分に充填される。流動体は、球体の外部から密封装置の通道を通って注入され、透明球体表層内の中空部分に入る。流動体による圧力によって密封装置のゴムカバーは連接ヘッドの通道を封鎖し、球体内から漏れないことを最も主要な特徴とする。
【考案の効果】
【０００６】
本考案の弾力ボールは、ＰＵの弾性材で製造しているので、玩具として使用することもでき、且つ球体内に充填した流動体の装飾品によって観賞用にもなるという利点がある。
【実施例１】
【０００７】
図１に示すとおり、本考案は、透明ポリウレタン(ＰＵ)製の中空球体表層１、密封装置２、そして透明球体表層１内の中空部に充填された流動体３から構成される。この透明な中空球体表層は、透明のポリウレタンの中空表層である。また、流動体３には、空気、液体もしくは装飾品３１が含まれる。例として、この流動体３は空気、もしくは水または油類で、そこに光る粉もしくは光る片体である装飾品３１を注入する。更に視覚効果を高めるために、この光る片体に各種形状の装飾品を作る。例えば、動物や小魚等で、その装飾品が浮きながら移動して視覚効果を演出する。
本考案の密封装置２は、透明球体表層１上に設置される。図２及び図３に示すとおり、連接ヘッド２１、ゴムカバー２２を含み、その連接ヘッド２１の大きさは、小から大へ複数個の円錐体２１Ａ、２１Ｂ、２１Ｃが相互に重なっている。また各円錐体２１Ａ、２１Ｂ、２１Ｃの底円には同じく内向き雄の切点Ｃを具える。且つこの連接ヘッド２１には通道２１１が中間側辺の円錐体２１Ｂ内に設置される。図４及び図５に示すとおり、このゴムカバー２２は連接ヘッド２１の外部に被す。
【０００８】
本考案の流動体３は、図１に示すとおり、透明球体表層１内の中空部分に十分に充填される。そのうち、この流動体３は、球体外部から密封装置２を経由し、図４に示すとおり、例として針Ｐを連接ヘッド２１の通道２１１へ差込み、流動体３を透明球体表層１内の中空部分へ注入する。流動体３の注入によって生じた圧力よって、この密封装置２のゴムカバー２２が球体の開口(図５参照)位置の連接ヘッド２１の通道２１１を封鎖し、流動体３が球体内から流出するのを防止し、透明球体表層１内に留める。
【実施例２】
【０００９】
この他、図６に示すとおり、透明球体表層４、密封装置５及び流動体６を含み、その流動体６を透明球体表層４内の中空部へ完全に充填する。そのうち、透明球体表層４は、透明ポリウレタン（ＰＵ）製である。また流動体６は、空気、液体、もしくは装飾品６１を含む。この流動体６は空気、もしくは水または油類で、そこに光る粉もしくは光る片体の装飾品６１を注入する。更に視覚効果を高めるため、光る片体を各種形状の装飾品、例として動物や小魚等にして浮き移動や流動させる。
【００１０】
図７に示すとおり、透明球体表層４は、特定の厚みＴを具える。更に密封装置５は透明球体表層４上に設置する。この密封装置５は円錐挿入部５１、嵌合部５２、密封口５３を含み、そのうち、この円錐挿入部５１は、透明球体表層４内に完全に埋め込まれ、その嵌合部５２は、透明球体表層４の厚みＴとほぼ同じである。更にこの密封口５３の直径は、嵌合部５２より大きいため、内部の流動体が外に漏れるのを防止する。
【産業上の利用可能性】
【００１１】
本考案は、ＰＵの弾性材を使用することによって、玩具として遊ぶこともできる他に、内部の流動体と装飾品によって、視覚効果が高まり、鑑賞用途にも適用できる。
【図面の簡単な説明】
【００１２】
【図１】本考案第一実施例の立体図である。
【図２】本考案第一実施例の密封装置組立前の立体図である。
【図３】本考案第一実施例の連接ヘッドの俯瞰図である。
【図４】本考案第一実施例の密封装置使用状態断面側面図である。
【図５】本考案第一実施例の密封装置が圧力を受けた時の側面図である。
【図６】本考案第二実施例の立体図である。
【図７】本考案第二実施例の密封装置局部拡大図である。
【符号の説明】
【００１３】
１        透明球体表層
２        密封装置
２１        連接ヘッド
２１１        通道
２１Ａ      円錐体
２１Ｂ      円錐体
２１Ｃ      円錐体
２２        ゴムカバー
３        流動体
３１        装飾品
４        透明球体表層
５        密封装置
５１        円錐挿入部
５２        嵌合部
５３        密封口
６        流動体
６１        装飾品
Ｃ        切点
Ｐ        針
Ｔ        透明ＰＵ球体表層の厚み
【図１】
0003106185.tif 000003
【図２】
0003106185.tif 000004
【図３】
0003106185.tif 000005
【図４】
0003106185.tif 000006
【図５】
0003106185.tif 000007
【図６】
0003106185.tif 000008
【図７】
0003106185.tif 000009